(57)【要約】【課題】タッチ位置を正確に検知するタッチパネルを提供する。【解決手段】互いに対向配置された一対の基材５ａおよび５ｂと、一方の基材５ａに線状に延びるように配置された抵抗体６と、抵抗体６に沿って延びるように配置された検知配線部８と、抵抗体６より低い抵抗値を有すると共に互いに間隔を隔てて抵抗体６に接続された複数の抵抗体電極部９を有し、タッチに応じて抵抗体電極部９ａを検知配線部８に電気的に接続する接続部と、抵抗体６に給電するために抵抗体６に接続された給電用端子１１ａおよび１１ｂと、タッチに応じた抵抗体電極部９ａの電位を測定するために検知配線部８に接続された検知用端子１２とを備える。【選択図】  図１
2019028884.tif 000002
【特許請求の範囲】
【請求項１】
互いに対向配置された一対の基材と、
一方の基材に線状に延びるように配置された抵抗体と、
前記抵抗体に沿って延びるように配置された検知配線部と、
前記抵抗体より低い抵抗値を有すると共に互いに間隔を隔てて前記抵抗体に接続された複数の抵抗体電極部を有し、タッチに応じて前記抵抗体電極部を前記検知配線部に電気的に接続する接続部と、
前記抵抗体に給電するために前記抵抗体に接続された給電用端子と、
タッチに応じた前記抵抗体電極部の電位を測定するために前記検知配線部に接続された検知用端子とを備えるタッチパネル。
【請求項２】
前記複数の抵抗体電極部は、前記抵抗体から前記検知配線部に向かって櫛歯状に延びるように前記一方の基材に形成され、
前記接続部は、前記検知配線部から前記抵抗体に向かって前記複数の抵抗体電極部の間を櫛歯状に延びるように前記一方の基材に形成された複数の検知電極部と、前記複数の抵抗体電極部と前記複数の検知電極部を覆うように他方の基材に配置されて前記抵抗体電極部をタッチに応じて前記検知電極部に接続するタッチ電極部とをさらに有する請求項１に記載のタッチパネル。
【請求項３】
前記複数の抵抗体電極部および前記複数の検知電極部のうち少なくとも一方は、互いの間隔が広い部分に枝状に延びるように形成された枝状部を有する請求項２に記載のタッチパネル。
【請求項４】
前記抵抗体は、曲線状に延びるように配置される請求項１〜３のいずれか一項に記載のタッチパネル。
【請求項５】
前記抵抗体は、円状に延びるように配置される請求項４に記載のタッチパネル。
【請求項６】
前記抵抗体は、蛇行して延びるように配置される請求項４に記載のタッチパネル。
【請求項７】
前記抵抗体は、同一平面内において対向する部分を有し、
前記接続部は、前記抵抗体の対向する部分に前記複数の抵抗体電極部を配置し、前記抵抗体の対向する部分を横断するタッチ位置の移動を検知する請求項４〜６のいずれか一項に記載のタッチパネル。
【請求項８】
前記一対の基材は、立体的に曲がるような形状を有し、
前記抵抗体は、前記一方の基材に沿って延びるように配置される請求項１〜７のいずれか一項に記載のタッチパネル。
【請求項９】
他方の基材の表面上に配置され、前記他方の基材と対向する面にタッチに応じて前記他方の基材を押圧するための凸部が形成された表面シートをさらに有する請求項１〜８のいずれか一項に記載のタッチパネル。
【発明の詳細な説明】
【技術分野】
【０００１】
この発明は、タッチパネルに係り、特に、タッチ位置を抵抗方式で検知するタッチパネルに関する。
【背景技術】
【０００２】
従来から、表面をタッチしたタッチ位置を抵抗方式で検知するタッチパネルが実用化されている。抵抗方式のタッチパネルは、例えば、２つの導電膜が対向配置されており、指でタッチされた一方の導電膜が湾曲して他方の導電膜に接触する。これにより、接触位置に応じた導電膜の電位を測定し、この電位に基づいてタッチ位置を算出することができる。
しかしながら、導電膜が湾曲するように歪むため、タッチ位置の算出に誤差が生じるといった問題があった。
【０００３】
そこで、タッチ位置を正確に算出する技術として、例えば、特許文献１には、タッチパネルの座標を高精度に補正することができるタッチパネル装置が提案されている。このタッチパネル装置は、座標の湾曲特性を２次以上の多項式で近似するため高精度に座標を補正することができ、タッチ位置を正確に算出することができる。
【先行技術文献】
【特許文献】
【０００４】
【特許文献１】特開２０１６−１１０２２３号公報
【発明の概要】
【発明が解決しようとする課題】
【０００５】
しかしながら、特許文献１のタッチパネルは、タッチ位置を補正するもので、タッチ位置に応じた導電膜の電位自体を正確に検知することができず、タッチ位置の算出にずれが生じるおそれがあった。
【０００６】
この発明は、このような従来の問題点を解消するためになされたもので、タッチ位置を正確に検知するタッチパネルを提供することを目的とする。
【課題を解決するための手段】
【０００７】
この発明に係るタッチパネルは、互いに対向配置された一対の基材と、一方の基材に線状に延びるように配置された抵抗体と、抵抗体に沿って延びるように配置された検知配線部と、抵抗体より低い抵抗値を有すると共に互いに間隔を隔てて抵抗体に接続された複数の抵抗体電極部を有し、タッチに応じて抵抗体電極部を検知配線部に電気的に接続する接続部と、抵抗体に給電するために抵抗体に接続された給電用端子と、タッチに応じた抵抗体電極部の電位を測定するために検知配線部に接続された検知用端子とを備えるものである。
【０００８】
ここで、複数の抵抗体電極部は、抵抗体から検知配線部に向かって櫛歯状に延びるように一方の基材に形成され、接続部は、検知配線部から抵抗体に向かって複数の抵抗体電極部の間を櫛歯状に延びるように一方の基材に形成された複数の検知電極部と、複数の抵抗体電極部と複数の検知電極部を覆うように他方の基材に配置されて抵抗体電極部をタッチに応じて検知電極部に接続するタッチ電極部とをさらに有することが好ましい。
【０００９】
また、複数の抵抗体電極部および複数の検知電極部のうち少なくとも一方は、互いの間隔が広い部分に枝状に延びるように形成された枝状部を有することが好ましい。
【００１０】
また、抵抗体は、曲線状に延びるように配置することができる。
また、抵抗体は、円状に延びるように配置することができる。
また、抵抗体は、蛇行して延びるように配置することもできる。
【００１１】
また、抵抗体は、同一平面内において対向する部分を有し、接続部は、抵抗体の対向する部分に複数の抵抗体電極部を配置し、抵抗体の対向する部分を横断するタッチ位置の移動を検知することができる。
【００１２】
また、一対の基材は、立体的に曲がるような形状を有し、抵抗体は、一方の基材に沿って延びるように配置することができる。
【００１３】
また、他方の基材の表面上に配置され、他方の基材と対向する面にタッチに応じて他方の基材を押圧するための凸部が形成された表面シートをさらに有することが好ましい。
【発明の効果】
【００１４】
この発明によれば、接続部が、抵抗体より低い抵抗値を有すると共に抵抗体に互いに間隔を隔てて接続された複数の抵抗体電極部を有し、タッチに応じて抵抗体電極部を検知配線部に電気的に接続するので、タッチ位置を正確に検知するタッチパネルを提供することが可能となる。
【図面の簡単な説明】
【００１５】
【図１】この発明の実施の形態１に係るタッチパネルを備えたタッチパネル装置の構成を示す図である。
【図２】接続部の構成を示す断面図である。
【図３】実施の形態２に係るタッチパネルの構成を示す図である。
【図４】実施の形態３に係るタッチパネルの構成を示す図である。
【図５】実施の形態４に係るタッチパネルの構成を示す図である。
【図６】実施の形態５に係るタッチパネルの構成を示す図である。
【図７】実施の形態５の変形例に係るタッチパネルの構成を示す図である。
【図８】実施の形態５の他の変形例に係るタッチパネルの構成を示す図である。
【図９】実施の形態６に係るタッチパネルの構成を示す図である。
【図１０】実施の形態７に係るタッチパネルの構成を示す図である。
【図１１】指の動きを認識するルックアップテーブルの一例を示す図である。
【図１２】実施の形態７の変形例に係るタッチパネルの構成を示す図である。
【図１３】実施の形態８に係るタッチパネルの構成を示す図である。
【図１４】実施の形態９に係るタッチパネルの構成を示す図である。
【図１５】実施の形態１０に係るタッチパネルの構成を示す図である。
【図１６】実施の形態１１に係るタッチパネルの構成を示す図である。
【図１７】実施の形態１０のタッチパネルを備えたカメラの構成を示す図である。
【図１８】実施の形態９のタッチパネルを備えた携帯電話の構成を示す図である。
【図１９】実施の形態８のタッチパネルを備えたカメラの構成を示す図である。
【図２０】実施の形態８タッチパネルを備えたスロットル部の構成を示す図である。
【発明を実施するための形態】
【００１６】
以下、この発明の実施の形態を添付図面に基づいて説明する。
実施の形態１
図１に、この発明の実施の形態１に係るタッチパネルを備えたタッチパネル装置の構成を示す。このタッチパネル装置は、タッチパネル１と、給電部２と、測定部３と、演算部４とを有する。
【００１７】
タッチパネル１は、互いに対向配置された一対の基材５ａおよび５ｂを有し、この一方の基材５ａに抵抗体６と、抵抗体配線部７ａおよび７ｂと、検知配線部８と、複数の抵抗体電極部９と、複数の検知電極部１０と、給電用端子１１ａおよび１１ｂと、検知用端子１２と、ダミー端子１３とが配置されている。また、他方の基材５ｂには、タッチ電極部１４が配置されている。
【００１８】
一対の基材５ａおよび５ｂは、長尺形状を有する透明な絶縁性基材である。また、基材５ａおよび５ｂは、可撓性を有し、フィルム状に薄く形成されている。基材５ａおよび５ｂは、例えば、ポリエチレンテレフタレートなどの樹脂材料から形成することができる。
抵抗体６は、比較的高い抵抗値を有し、基材５ａの長手方向に直線状に延びるように配置されている。また、抵抗体６は、長手方向に均一な抵抗分布となるように一定の厚みで形成されている。抵抗体６は、例えばカーボンから構成することができ、全長の抵抗値が１．５ｋΩ〜１５ｋΩの範囲であることが好ましい。
【００１９】
抵抗体配線部７ａは、抵抗体６の一端部と給電用端子１１ａとの間を接続するように配置されている。また、抵抗体配線部７ｂは、抵抗体６の他端部と給電用端子１１ｂとの間を接続するように配置されている。この抵抗体配線部７ａおよび７ｂは、抵抗体６より低い抵抗値を有し、例えば銀などから構成することができる。
検知配線部８は、検知用端子１２から抵抗体６に沿って直線状に延びるように配置されている。検知配線部８は、抵抗体６より低い抵抗値を有し、例えば銀などから構成することができる。
【００２０】
複数の抵抗体電極部９は、抵抗体６に互いに間隔を隔てて接続されている。具体的には、抵抗体電極部９は、抵抗体６から検知配線部８に向かって櫛歯状に延びるように形成されている。すなわち、抵抗体電極部９は、細長く延びた同形状を有し、抵抗体６に沿って等間隔で配列されている。また、抵抗体電極部９は、それぞれ、抵抗体６との接続部分とほぼ同じ電位となるように、すなわち電位勾配が生じないように抵抗体６より非常に低い抵抗値を有する。例えば、抵抗体電極部９は、銀などから構成することができる。
【００２１】
複数の検知電極部１０は、検知配線部８に互いに間隔を隔てて接続されている。具体的には、検知電極部１０は、検知配線部８から抵抗体６に向かって抵抗体電極部９の間を櫛歯状に延びるように形成されている。すなわち、検知電極部１０は、細長く延びた同形状を有し、検知配線部８に沿って等間隔で配列されている。また、検知電極部１０は、抵抗体電極部９とほぼ同じ抵抗値を有し、例えば銀などから構成することができる。
【００２２】
タッチ電極部１４は、複数の抵抗体電極部９と複数の検知電極部１０を覆うように形成されている。すなわち、タッチ電極部１４は、他方の基材５ｂに面状に広がるように形成されている。このため、タッチ電極部１４は、他方の基材５ｂの外側からタッチ位置Ｐがタッチされることにより局所的に湾曲して、タッチ位置Ｐに応じた抵抗体電極部９ａを検知電極部１０ａに電気的に接続する。これにより、検知電極部１０ａを介して抵抗体電極部９ａが検知配線部８に接続されることになる。タッチ電極部１４は、抵抗体電極部９とほぼ同じ抵抗値を有し、例えば銀などから構成することができる。
なお、複数の抵抗体電極部９、複数の検知電極部１０およびタッチ電極部１４は、本発明における接続部を構成するものである。
【００２３】
給電用端子１１ａおよび１１ｂは、抵抗体６に給電するためのもので、給電用端子１１ａが抵抗体配線部７ａに接続されると共に給電用端子１１ｂが抵抗体配線部７ｂに接続されている。これにより、給電用端子１１ａおよび１１ｂは、抵抗体配線部７ａおよび７ｂを介して抵抗体６に接続されている。
検知用端子１２は、タッチに応じた抵抗体電極部９ａの電位を測定するために検知配線部８に接続されている。
【００２４】
給電部２は、給電用端子１１ａおよび１１ｂに接続されており、給電用端子１１ａおよび１１ｂを介して抵抗体６に給電するものである。
測定部３は、検知用端子１２に接続されており、検知用端子１２を介してタッチに応じた抵抗体電極部９ａの電位を測定するものである。
演算部４は、測定部３に接続されており、測定部３で測定された抵抗体電極部９ａの電位に基づいてタッチ位置Ｐを演算するものである。
【００２５】
次に、抵抗体電極部９、検知電極部１０およびタッチ電極部１４の構成について詳細に説明する。
図２（ａ）に示すように、基材５ａに配置された抵抗体電極部９および検知電極部１０と、基材５ｂに配置されたタッチ電極部１４とは、所定の隙間を空けて対向配置されている。なお、一方の基材５ａと他方の基材５ｂとの間には、隙間を形成するための図示しないスペーサが配置されている。
ここで、抵抗体電極部９、検知電極部１０およびタッチ電極部１４には、保護部１５ａ、１５ｂおよび１５ｃがそれぞれ覆うように配置されている。この保護部１５ａ〜１５ｃは、マイグレーションを抑制するためのもので、例えばカーボン、カーボンと銀の混合物などから構成することができる。なお、保護部１５ａ〜１５ｃで用いられるカーボンは、抵抗体６で用いられるカーボンより一桁以上小さい抵抗値を有することが好ましい。
【００２６】
このように、抵抗体電極部９および検知電極部１０に対してタッチ電極部１４が対向配置されることにより、図２（ｂ）に示すように、他方の基材５ｂの外側をタッチすると、他方の基材５ｂと共にタッチ電極部１４が局所的に湾曲し、タッチに応じた抵抗体電極部９ａと検知電極部１０ａがタッチ電極部１４により接続される。
【００２７】
次に、この実施の形態の動作について説明する。
まず、図１に示すように、給電部２から給電用端子１１ａおよび１１ｂを介して抵抗体６に給電され、抵抗体６に電位分布が形成される。ここで、複数の抵抗体電極部９は、それぞれ、抵抗体６との接続部分とほぼ同じ電位となるように抵抗体６より低い抵抗値を有する。このため、複数の抵抗体電極部９は、抵抗体６と同じ電位分布で基材５ａの長手方向に配列されることになる。すなわち、複数の抵抗体電極部９は、抵抗体６の電位を検知配線部８側に断続的に引き出すように形成されている。
【００２８】
続いて、図２（ａ）および（ｂ）に示すように、他方の基材５ｂの外側からタッチ位置Ｐがタッチされると、タッチに応じた抵抗体電極部９ａと検知電極部１０ａがタッチ電極部１４により接続される。これにより、抵抗体電極部９ａから引き出された抵抗体６の電位が、検知用端子１２を介して測定部３により測定される。
【００２９】
この時、タッチ電極部１４は、タッチに応じて抵抗体６に接続されるのではなく、抵抗体電極部９ａに接続される。タッチ電極部１４が、高い抵抗値を有する抵抗体６に直接接続されて抵抗体６を押圧すると、その押圧力に応じて測定部３で測定される電位が変動するおそれがある。そこで、タッチ電極部１４が抵抗体電極部９ａに接続されることにより測定部３で測定される電位の変動を抑制し、抵抗体電極部９ａを介して抵抗体６の電位を正確に測定することができる。また、検知電極部１０および検知配線部８は、抵抗体６に対して非常に低い抵抗値を有するため、抵抗体電極部９ａの電位を変動させることなく正確に測定することができる。
【００３０】
また、複数の抵抗体電極部９は、抵抗体６の電位を断続的に引き出すように形成されている。このため、タッチ位置Ｐにおける電位を周囲の電位と明確に区別することができ、タッチ位置Ｐを高い再現性で検知することができる。
さらに、抵抗体６に対して抵抗体電極部９、検知電極部１０およびタッチ電極部１４を配置した簡単な構造を有するため、タッチパネル１を小型に形成することができる。
このようにして、測定部３で測定された抵抗体６の電位は、測定部３から演算部４に出力される。演算部４は、入力された抵抗体６の電位に基づいてタッチ位置Ｐを演算する。
【００３１】
なお、演算部４は、２点のタッチ位置Ｐを検知する場合には、抵抗膜方式タッチパネルにおいて用いられている従来の方法でタッチ位置を演算することができる。例えば、２点のタッチ位置の組み合わせに対応する電位情報をルックアップテーブルとして予め格納し、測定部３で測定された電位に基づいてルックアップテーブルを探索することで２点のタッチ位置を算出することができる。
また、演算部４は、タッチする指が抵抗体６に沿う方向にスライドされた場合には、測定部３を介して連続的な電位の変化を検知し、その電位の変化に基づいてタッチ位置Ｐを順次算出する。これにより、指をスライドさせるスライド操作を認識することができる。
【００３２】
本実施の形態によれば、抵抗体６より低い抵抗値を有すると共に抵抗体６に互いに間隔を隔てて接続された複数の抵抗体電極部９を有し、タッチに応じた抵抗体電極部９ａを検知配線部８に電気的に接続するため、タッチに応じて抵抗体６を直接押圧することなく抵抗体６の電位を測定することができ、タッチ位置Ｐを正確に検知することができる。
【００３３】
実施の形態２
上記の実施の形態１では、抵抗体６は、直線状に延びるように配置されたが、線状に延びるように配置されていればよく、直線状に延びるものに限られるものではない。
例えば、図３に示すように、実施の形態１の抵抗体６、検知配線部８およびタッチ電極部１４に換えて、抵抗体２１、検知配線部２２およびタッチ電極部２３を配置することができる。
【００３４】
抵抗体２１は、円状に延びるように一方の基材に配置され、一方の端部が給電用端子１１ａに接続されると共に他方の端部が給電用端子１１ｂに接続されている。なお、実施の形態１と同様に、抵抗体２１は、比較的高い抵抗値を有し、長手方向に均一な抵抗分布となるように一定の厚みで形成されている。
検知配線部２２は、抵抗体２１の内側を円状に延びるように一方の基材に配置され、一方の端部が検知用端子１２に接続されている。
【００３５】
タッチ電極部２３は、複数の抵抗体電極部９と複数の検知電極部１０を覆うように他方の基材に配置されている。すなわち、タッチ電極部２３は、抵抗体２１と検知配線部２２との間を円状に延びるように配置される。
【００３６】
このような構成により、タッチ位置Ｐがタッチされると、タッチに応じた抵抗体電極部９ａと検知電極部１０ａがタッチ電極部２３により接続される。これにより、抵抗体電極部９ａを介して抵抗体２１の電位を測定部で測定することができる。ここで、抵抗体２１が円状に延びるように配置されているため、例えば抵抗体２１に沿って円状にスライドされる指の動きを検知することができる。
本実施の形態によれば、抵抗体２１が円状に延びるように配置されるため、タッチパネル１を円状に操作することができる。
【００３７】
実施の形態３
上記の実施の形態２では、抵抗体２１と検知配線部２２との間でタッチ位置Ｐを検知したが、検知配線部２２の内側にさらに抵抗体を配置してタッチ位置Ｐを複数個所で検知することもできる。
例えば、図４に示すように、実施の形態２において抵抗体３１、抵抗体３２、複数の抵抗体電極部３３および複数の検知電極部３４を新たに配置することができる。
【００３８】
抵抗体３１は、検知配線部２２の内側を円状に延びるように配置され、一方の端部が抵抗体３２に接続されると共に他方の端部が給電用端子１１ａに接続されている。また、抵抗体３１は、抵抗体２１と同様に、均一な抵抗分布となるように一定の厚みで形成されている。
【００３９】
抵抗体３２は、抵抗体２１から抵抗体３１に向かって直線状に延びるように配置され、一方の端部が抵抗体２１の一方の端部に接続されると共に他方の端部が抵抗体３１の一方の端部に接続されている。また、抵抗体３２は、抵抗体２１および３１と比較して抵抗値が大きくなるように、抵抗体２１および３１より細く形成されている。なお、抵抗体３２は、長手方向に均一な抵抗分布となるように一定の厚みで形成されている。
このように、抵抗体２１、抵抗体３１および抵抗体３２は、互いに接続されて、１本の連続した曲線となるように形成されている。
【００４０】
複数の抵抗体電極部３３は、抵抗体３１に互いに間隔を隔てて接続されている。具体的には、複数の抵抗体電極部３３は、抵抗体３１から検知配線部２２に向かって櫛歯状に延びるように形成されている。また、複数の抵抗体電極部３３は、抵抗体３１とほぼ同じ電位となるように抵抗体３１より非常に低い抵抗値を有する。
複数の検知電極部３４は、検知配線部２２の内側に互いに間隔を隔てて接続されている。具体的には、複数の検知電極部３４は、検知配線部２２から抵抗体３１に向かって複数の抵抗体電極部３３の間を櫛歯状に延びるように形成されている。また、複数の検知電極部３４は、抵抗体電極部３３とほぼ同じ抵抗値を有する。
【００４１】
なお、タッチ電極部２３は、複数の抵抗体電極部９、複数の検知電極部１０、複数の抵抗体電極部３３および複数の検知電極部３４を覆うように配置されている。すなわち、タッチ電極部２３は、抵抗体２１と抵抗体３１との間を円状に延びるように配置されている。
このようにして、検知配線部２２と抵抗体２１の間にタッチ位置を検知する検知領域Ｓ１を形成すると共に検知配線部２２と抵抗体３１の間にタッチ位置を検知する検知領域Ｓ２を形成することができる。
【００４２】
このような構成により、検知領域Ｓ１がタッチされた場合にはタッチに応じた抵抗体電極部９と検知電極部１０がタッチ電極部２３により接続され、検知領域Ｓ２がタッチされた場合にはタッチに応じた抵抗体電極部３３と検知電極部３４がタッチ電極部２３により接続される。例えば、検知領域Ｓ１は円状にスライドされる指の動きを検知するものとして使用し、検知領域Ｓ２はエンターキーとして使用することができる。
ここで、抵抗体３２は、抵抗値が大きくなるように抵抗体２１および３１と比較して細く形成されており、抵抗体２１と抵抗体３１における電位の差を大きくすることができる。これにより、検知領域Ｓ１をタッチした際の電位と検知領域Ｓ２をタッチした際の電位とを明確に区別することができ、タッチ位置を正確に検知することができる。
【００４３】
本実施の形態によれば、抵抗体２１の内側に抵抗体３１を配置して２つの検知領域Ｓ１およびＳ２を形成するため、タッチパネル１の機能性を向上させることができる。
【００４４】
実施の形態４
上記の実施の形態１〜３では、複数の抵抗体電極部および複数の検知電極部は、直線状に延びるように形成されたが、タッチ電極部により互いに接続することができればよく、直線状に延びるものに限られるものではない。
例えば、図５に示すように、実施の形態２の複数の検知電極部１０に換えて複数の検知電極部４１を配置することができる。
【００４５】
複数の検知電極部４１は、枝状に延びるように形成された枝状部４２を有する。ここで、複数の抵抗体電極部９と複数の検知電極部４１は異なる方向に延びるように配置されているため、検知電極部４１の基端部近傍には互いの間隔が狭い狭領域Ｇ１が形成されると共に検知電極部４１の先端部近傍には互いの間隔が広い広領域Ｇ２が形成される。枝状部４２は、検知電極部４１の先端部近傍において広領域Ｇ２に延びるように形成されている。このため、タッチ電極部２３により抵抗体電極部９と検知電極部４１を確実に接続することができ、不感帯が生じることを抑制してタッチ位置を確実に検知することができる。
【００４６】
本実施の形態によれば、複数の検知電極部４１は、抵抗体電極部９との間隔が広い先端部近傍に枝状に延びるように形成された枝状部４２を有するため、タッチ電極部２３を介して抵抗体電極部９に確実に接続することができる。
なお、抵抗体電極部９に枝状部４２を形成してもよく、例えば、抵抗体電極部９の先端部近傍において検知電極部４１との間隔が広い場合には、抵抗体電極部９の先端部近傍に枝状部４２を形成することができる。
【００４７】
実施の形態５
上記の実施の形態２〜４では、抵抗体は、円状に延びるように形成されたが、曲線状に延びるように配置することができればよく、円状に限られるものではない。
例えば、図６に示すように、実施の形態１の抵抗体６、検知配線部８およびタッチ電極部１４に換えて、抵抗体５１、検知配線部５２およびタッチ電極部５３を配置することができる。
【００４８】
抵抗体５１は、蛇行して延びるように一方の基材に配置され、一方の端部が給電用端子１１ａに接続されると共に他方の端部が給電用端子１１ｂに接続されている。
検知配線部５２は、抵抗体５１に沿って蛇行して延びるように一方の基材に配置され、一方の端部が検知用端子１２に接続されている。
タッチ電極部５３は、複数の抵抗体電極部９と複数の検知電極部１０を覆うように他方の基材に配置されている。すなわち、タッチ電極部５３は、抵抗体５１と検知配線部５２との間を蛇行して延びるように配置される。
【００４９】
このように、抵抗体５１を蛇行するように配置することにより、タッチ位置が検知される検知領域Ｓを蛇行して延びるように形成することができる。
このような構成により、例えば、検知領域Ｓに沿って指をスライドさせると、複数の抵抗体電極部９と複数の検知電極部１０が順次接続されて、検知領域Ｓに沿って移動するタッチ位置を検知することができる。
本実施の形態によれば、抵抗体５１が蛇行して延びるように配置されるため、タッチパネル１を蛇行するように操作することができる。
【００５０】
なお、本実施の形態において、抵抗体５１は、湾曲するように蛇行方向を変更する２つの湾曲部分が形成されており、この湾曲部分の曲率に応じて検知領域Ｓの分解能に差が生じている。このため、検知領域Ｓの分解能を均一化することが好ましい。
例えば、図７に示すように、上記の抵抗体５１および検知配線部５２に換えて抵抗体５４ａ、抵抗体５４ｂ、検知配線部５５ａおよび検知配線部５５ｂを配置することができる。なお、検知領域Ｓは、湾曲するように蛇行方向を変更する２つの方向変更部Ｔ１およびＴ２を有する。
【００５１】
抵抗体５４ａおよび５４ｂは、検知領域Ｓの方向変更部Ｔ１およびＴ２において長さが長い外周部にそれぞれ沿うように配置されている。すなわち、抵抗体５４ａは方向変更部Ｔ１の外周部が形成される検知領域Ｓの一方の縁部に沿って配置され、抵抗体５４ｂは方向変更部Ｔ２の外周部が形成される検知領域Ｓの他方の縁部に沿って配置されている。そして、検知領域Ｓを横断するように連結部５６が配置され、この連結部５６により抵抗体５４ａと抵抗体５４ｂが連結されている。
ここで、連結部５６は、抵抗体５４ａおよび５４ｂの電位を大きく変化させないように抵抗体５４ａおよび５４ｂより非常に低い抵抗値を有する。例えば、連結部５６は、銀などから構成することができる。
【００５２】
検知配線部５５ａおよび５５ｂは、検知領域Ｓの方向変更部Ｔ１およびＴ２において長さが短い内周部にそれぞれ沿うように配置されている。すなわち、検知配線部５５ａは方向変更部Ｔ１の内周部が形成される検知領域Ｓの他方の縁部に沿って配置され、検知配線部５５ｂは方向変更部Ｔ２の内周部が形成される検知領域Ｓの一方の縁部に沿って配置されている。そして、検知配線部５５ａおよび５５ｂは、それぞれの端部が検知用端子１２に接続されている。
【００５３】
このように、抵抗体５４ａおよび５４ｂが、方向変更部Ｔ１と方向変更部Ｔ２において長さが同じになるように配置されており、指を方向変更部Ｔ１と方向変更部Ｔ２で同じ速度で移動させた場合にタッチ位置を同じ移動量で検知することができ、タッチ位置を検知する分解能を均一化することができる。
さらに、抵抗体５４ａおよび５４ｂが、方向変更部Ｔ１およびＴ２の外周部に沿って配置されるため、タッチ位置を検知する分解能を向上させることができ、タッチ位置を正確に検知することができる。
【００５４】
また、図８に示すように、図６のタッチパネル１において、方向変更部Ｔ１に位置する検知電極部１０の先端部近傍に枝状部５７ａを配置すると共に方向変更部Ｔ２に位置する抵抗体電極部９の先端部近傍に枝状部５７ｂを配置することで、方向変更部Ｔ１およびＴ２の分解能を均一化することもできる。
【００５５】
ここで、抵抗体５１は、検知領域Ｓの一方の縁部のみに沿って配置されている。すなわち、方向変更部Ｔ１は、方向変更部Ｔ２と比較して抵抗体５１が長く配置されている。そして、方向変更部Ｔ１に位置する検知電極部１０の先端部近傍に枝状部５７ａが配置され、方向変更部Ｔ２に位置する抵抗体電極部９の先端部近傍に枝状部５７ｂが配置されている。
【００５６】
これにより、枝状部５７ａが、抵抗体５１に近い領域において抵抗体電極部９と検知電極部１０との接続量を向上させるため、方向変更部Ｔ１においてタッチ位置を検知する分解能を低下させることができる。
一方、枝状部５７ｂが、抵抗体５１から遠い領域において抵抗体電極部９と検知電極部１０との接続量を向上させるため、方向変更部Ｔ２においてタッチ位置を検知する分解能を高めることができる。
【００５７】
このように、抵抗体５１が長く配置された方向変更部Ｔ１において検知電極部１０の先端部近傍に枝状部５７ａを配置すると共に抵抗体５１が短く配置された方向変更部Ｔ２において抵抗体電極部９の先端部近傍に枝状部５７ｂを配置することにより、方向変更部Ｔ１およびＴ２の分解能を均一化することができる。
【００５８】
実施の形態６
上記の実施の形態５において、検知領域Ｓを複数のスイッチとして機能させることもできる。
例えば、図９に示すように、図６のタッチパネル１において抵抗体５１、検知配線部５２およびタッチ電極部５３に換えて、抵抗体６１、検知配線部６２およびタッチ電極部６３を配置することができる。
【００５９】
抵抗体６１は、同一平面内において対向する部分を有するように蛇行して形成されている。具体的には、抵抗体６１は、所定の方向Ｘに直線状に延びると共に順次対向するように配置された３つの抵抗体対向部と、方向Ｘに直交する方向Ｙに直線状に延びて抵抗体対向部を連結する２つの抵抗体連結部とを有する。これにより、抵抗体６１は、角部を有する蛇行形状に形成される。
検知配線部６２は、方向Ｘに直線状に延びると共に順次対向するように配置された３つの検知対向部と、方向Ｙに直線状に延びて検知対向部を連結する２つの検知連結部とを有する。これにより、検知配線部６２は、角部を有する蛇行形状に形成される。
タッチ電極部６３は、複数の抵抗体電極部９と複数の検知電極部１０を覆うように抵抗体６１と検知配線部６２との間に蛇行形状で配置されている。
【００６０】
これにより、検知領域Ｓは、方向Ｘに直線状に延びると共に順次対向するように配置された３つの検知対向部Ｌ１〜Ｌ３と、方向Ｙに直線状に延びて検知対向部Ｌ１〜Ｌ３を連結する２つの方向変更部Ｔ１およびＴ２とから形成されることになる。
このような構成により、例えば、検知領域Ｓの検知対向部Ｌ１〜Ｌ３に複数のスイッチ部Ｗ１〜Ｗ６を設けることができる。スイッチ部Ｗ１〜Ｗ６へのタッチをそれぞれ検知することにより、１つのタッチパネル１に複数のスイッチ部Ｗ１〜Ｗ６を設けることができる。
【００６１】
なお、検知対向部Ｌ１〜Ｌ３の間には、タッチ位置を検知できない非検知領域Ｎが形成されている。この非検知領域Ｎは、方向Ｙに指一本分以上の幅を有することが好ましく、例えば約１８ｍｍ以上の幅で形成することができる。これにより、異なる検知対向部Ｌ１〜Ｌ３に設けられたスイッチ部Ｗ１〜Ｗ６の操作を確実に検知することができる。
【００６２】
本実施の形態によれば、抵抗体６１が蛇行して延びるように配置されるため、例えば検知対向部Ｌ１〜Ｌ３に複数のスイッチ部Ｗ１〜Ｗ６を設けるなど、１つのタッチパネル１に様々な機能を設けることができる。
【００６３】
実施の形態７
上記の実施の形態２〜６では、抵抗体に沿う方向にスライドされる指の動きを検知したが、抵抗体に交差する方向への指の動きを検知することもできる。
例えば、図１０に示すように、実施の形態６の抵抗体６１、検知配線部６２およびタッチ電極部６３に換えて、抵抗体７１、検知配線部７２およびタッチ電極部７３を配置することができる。
【００６４】
抵抗体７１は、同一平面内において対向する部分を有するように蛇行して形成されている。具体的には、抵抗体７１は、方向Ｘに直線状に延びると共に順次対向するように配置された４つの抵抗体対向部と、方向Ｙに直線状に延びて抵抗体対向部を連結する３つの抵抗体連結部とを有し、角部を有する蛇行形状に形成されている。
検知配線部７２は、抵抗体７１の４つの抵抗体対向部にそれぞれ沿うように配置された４つの検知対向部と、抵抗体７１の３つの抵抗体連結部にそれぞれ沿うように配置されて検知対向部を連結する３つの検知連結部とを有する。
タッチ電極部７３は、複数の抵抗体電極部９と複数の検知電極部１０を覆うように抵抗体７１と検知配線部７２との間に蛇行形状で配置されている。
【００６５】
これにより、検知領域Ｓは、方向Ｘに直線状に延びると共に順次対向するように配置された４つの検知対向部Ｌ１〜Ｌ４と、方向Ｙに直線状に延びて検知対向部Ｌ１〜Ｌ４を連結する３つの方向変更部Ｔ１〜Ｔ３とを有し、角部を有する蛇行形状に形成されている。
なお、方向変更部Ｔ１〜Ｔ３において抵抗体７１が長く配置された角部には、先端部近傍に枝状部が形成された検知電極部１０を抵抗体電極部９より多く配置して、タッチ位置を検知する分解能を低下させている。また、方向変更部Ｔ１〜Ｔ３において抵抗体７１が短く配置された角部には、先端部近傍に枝状部が形成された抵抗体電極部９を検知電極部１０より多く配置して、タッチ位置を検知する分解能を高めている。これにより、実施の形態５の図８に示すタッチパネル１と同様に、方向変更部Ｔ１〜Ｔ３の角部の分解能を均一化することができる。
【００６６】
ここで、複数の抵抗体電極部９は、抵抗体７１において４つの抵抗体対向部を含む全長にわたって配置されている。このため、４つの抵抗体対向部に沿って検知領域Ｓの検知対向部Ｌ１〜Ｌ４がそれぞれ形成されることになる。このように、検知対向部Ｌ１〜Ｌ４が方向Ｙに配列形成されることにより、抵抗体対向部を横断するように指をスライドさせると、指が検知領域Ｓの異なる検知対向部Ｌ１〜Ｌ４にタッチされる。例えば、検知対向部Ｌ１〜Ｌ４に１２個のタッチ位置Ｐ１〜Ｐ１２を設定する。そして、検知対向部Ｌ１のタッチ位置Ｐ１から検知対向部Ｌ２のタッチ位置Ｐ４に指をスライドさせると、タッチ位置Ｐ１とタッチ位置Ｐ４とで異なる電位を測定することができ、タッチ位置Ｐ１からタッチ位置Ｐ４への指の移動を検知することができる。
【００６７】
また、検知対向部Ｌ１〜Ｌ４の間には、互いに同じ幅を有する３つの非検知領域Ｎが形成されている。このため、抵抗体７１に交差する方向へ指をスライドさせると、指が非検知領域Ｎを横断することになる。例えば、タッチ位置Ｐ１からタッチ位置Ｐ４に指をスライドさせると、測定部で測定される電位は、タッチ位置Ｐ１の値から非検知領域Ｎにおいて一旦ゼロとなった後、タッチ位置Ｐ４の値となる。このため、タッチ位置Ｐ１からタッチ位置Ｐ４への指の移動を明確に検知することができる。
【００６８】
図１１に、指の移動を検知する一例として指で描かれた１〜９の数字の認識方法を示す。
数字の「１」を認識する場合には、まず、第１検知としてタッチ位置Ｐ２またはタッチ位置Ｐ３の電位が検知される。次に、タッチ位置Ｐ２またはタッチ位置Ｐ３から指がスライドされて、第２検知としてタッチ位置Ｐ５の電位が検知される。この時、非検知領域Ｎを横断するように指がスライドされるため、タッチ位置Ｐ５を確実に検知することができる。
【００６９】
続いて、タッチ位置Ｐ５から指がスライドされて、第３検知としてタッチ位置Ｐ８の電位が検知された後、第４検知としてタッチ位置Ｐ１０またはタッチ位置Ｐ１１の電位が検知される。これにより、指で書かれた数字が「１」であることを認識することができる。
同様に、タッチ位置Ｐ１〜Ｐ１２を順次検知することにより指で描かれた１〜９の数字を認識することができる。このようなルックアップテーブルを演算部に格納することで、指で描かれる数字を容易に算出することができる。
ここで、タッチ位置Ｐ１〜Ｐ１２を順次検知する途中で数字を確実に認識できる場合には、その途中で数字を確定させてもよい。例えば、数字の「１」を認識する場合には、第３検知のタッチ位置Ｐ８が検知された段階で数字を確定することができる。
【００７０】
本実施の形態によれば、抵抗体７１において対向する４つの抵抗体対向部に複数の抵抗体電極部９を配置するため、検知領域Ｓの検知対向部Ｌ１〜Ｌ４を方向Ｙに配列形成することができる。このため、抵抗体７１に沿う方向へのタッチ位置の移動だけでなく、４つの抵抗体対向部を横断するタッチ位置の移動を検知することができる。これにより、２次元の面状に構成したタッチパネル１を得ることができ、例えば、指を払うように操作するフリック操作および２本の指の間隔を変えるように操作するピンチ操作など、指をスライドさせて様々な操作を行うことができる。
【００７１】
なお、本実施の形態では、検知領域Ｓにおいてそれぞれの検知対向部Ｌ１〜Ｌ４の間に非検知領域Ｎを形成したが、抵抗体に交差する方向へのタッチ位置の移動を検知することができればよく、これに限られるものではない。
例えば、図１２に示すように、図１０のタッチパネル１において検知配線部７２に換えて検知配線部７４を配置することができる。
【００７２】
検知配線部７４は、抵抗体７１の４つの抵抗体対向部のうち隣り合う２つの抵抗体対向部の間を方向Ｘに延びるように配置される２つの検知対向部７４ａおよび７４ｂを有する。検知対向部７４ａおよび７４ｂは、それぞれ、両側に複数の検知電極部１０が抵抗体７１に向かって延びるように配置されている。そして、複数の抵抗体電極部９が、抵抗体７１から検知対向部７４ａおよび７４ｂに向かって複数の検知電極部１０の間に延びるように配置されている。
【００７３】
これにより、検知領域Ｓは、検知対向部７４ａを挟んで方向Ｘに直線状に延びる２つの検知対向部Ｌ１およびＬ２と、検知対向部７４ｂを挟んで方向Ｘに直線状に延びる２つの検知対向部Ｌ３およびＬ４と、検知対向部Ｌ１およびＬ２と検知対向部Ｌ３およびＬ４とを接続する方向変更部Ｔとから形成されることになる。そして、検知対向部Ｌ３と検知対向部Ｌ４の間には、非検知領域Ｎが形成される。
【００７４】
このような構成により、図１０のタッチパネル１と同様に、検知対向部Ｌ１〜Ｌ４に１２個のタッチ位置Ｐ１〜Ｐ１２を設定することができる。例えば、検知対向部Ｌ１のタッチ位置Ｐ１から検知対向部Ｌ２のタッチ位置Ｐ４に指をスライドさせると、測定部で測定される電位がタッチ位置Ｐ１の値からタッチ位置Ｐ４の値へと連続的に変化する。この電位の連続的な変化に基づいて、タッチ位置Ｐ１からタッチ位置Ｐ４への指の移動を検知することができる。
【００７５】
このように、検知配線部７４は、検知対向部７４ａおよび７４ｂの両側に抵抗体７１に向かって延びる複数の検知電極部１０を配置するため、非検知領域Ｎの形成を抑制することができ、タッチパネル１を小型化することができる。
なお、検知領域Ｓを小さく形成して指の動きを制限することで、タッチ位置Ｐ１〜Ｐ１２を確実に検知することができる。例えば、検知領域Ｓは、方向Ｘの長さが約６０ｍｍで方向Ｙの長さが約６９ｍｍの大きさに形成することができる。
【００７６】
実施の形態８
上記の実施の形態２〜７において、抵抗体は、曲線状に延びるように配置することができればよく、円弧状に延びるように配置することもできる。
例えば、図１３に示すように、実施の形態１の抵抗体６、検知配線部８およびタッチ電極部１４に換えて抵抗体８１、検知配線部８２およびタッチ電極部８３を配置すると共に、抵抗体８４を新たに配置することができる。
【００７７】
抵抗体８１は、円弧状に延びるように配置され、一方の端部が給電用端子１１ａに接続されると共に他方の端部が抵抗体８４に接続されている。抵抗体８４は、抵抗体８１に沿って円弧状に延びるように配置され、一方の端部が給電用端子１１ｂに接続されると共に他方の端部が抵抗体８１に接続されている。
検知配線部８２は、抵抗体８１と抵抗体８４の間を円弧状に延びるように配置され、一方の端部が検知用端子１２に接続されている。
【００７８】
タッチ電極部８３は、抵抗体８１の内縁部近傍から抵抗体８４の外縁部までの範囲を覆いつつ抵抗体８１および８４に沿って円弧状に延びるように配置されている。
なお、複数の抵抗体電極部９は、抵抗体８１から検知配線部８２に向かって櫛歯状に延びるように配置されている。また、複数の検知電極部１０は、検知配線部８２から抵抗体８１に向かって櫛歯状に延びるように配置されている。
【００７９】
このような構成により、例えば抵抗体８１および８４に沿って円弧状にスライドされる指の動きを検知することができる。
ここで、抵抗体８１と検知配線部８２の間に検知領域Ｓ１が形成されると共に、抵抗体８４と検知配線部８２の間に検知領域Ｓ２が形成されている。検知領域Ｓ１は、抵抗体８１から複数の抵抗体電極部９で引き出された断続的な電位に基づいてタッチ位置を検知する。一方、検知領域Ｓ２は抵抗体８４の連続した電位に基づいてタッチ位置を検知する。このため、タッチ位置を検知する目的に応じて検知領域Ｓ１と検知領域Ｓ２を使い分けることができる。
本実施の形態によれば、抵抗体８１が円弧状に延びるように配置されるため、タッチパネル１を円弧状に操作することができる。
【００８０】
実施の形態９
上記の実施の形態１〜８では、接続部が、複数の抵抗体電極部、複数の検知電極部およびタッチ電極部から構成されたが、タッチに応じた抵抗体電極部を検知配線部に電気的に接続できればよく、その構成に限られるものではない。
例えば、図１４に示すように、実施の形態１の複数の検知電極部１０を除くと共に複数の抵抗体電極部９に換えて複数の抵抗体電極部９１を配置することができる。
【００８１】
複数の抵抗体電極部９１は、実施の形態１と同様に、抵抗体６から検知配線部８に向かって櫛歯状に延びるように形成されている。ここで、抵抗体電極部９１は、短い長さで形成されており、例えば約２ｍｍの長さで形成することができる。
また、抵抗体６は、例えば約０．６ｍｍの幅で形成することができる。また、検知配線部８は約０．７ｍｍの幅で形成することができ、抵抗体配線部７ａは約０．３ｍｍの幅で形成することができる。
これにより、タッチパネル１の幅Ｈを小さくすることができ、例えば約６ｍｍ以下の幅Ｈで形成することができる。
【００８２】
本実施の形態によれば、接続部が複数の抵抗体電極部９１およびタッチ電極部１４から構成された簡単な構造を有するため、タッチパネル１を容易に小型化することができる。
【００８３】
実施の形態１０
上記の実施の形態１〜９では、タッチパネル１は、平面状に形成されたが、立体的（３次元的）に曲がるように形成することもできる。
例えば、図１５に示すように、実施の形態１のタッチパネル１を円筒状に曲げて形成することができる。
【００８４】
すなわち、一対の基材５ａおよび５ｂは円筒状に曲がるような形状を有し、この一方の基材５ａに沿って抵抗体６、検知配線部８およびタッチ電極部１４が円筒状に延びるように配置される。このように、タッチパネル１を円筒状に形成することにより、円筒面に沿って操作することができる。
なお、タッチパネル１は、様々な形状に形成することができ、例えばスパイラル形状などに形成することもできる。
【００８５】
本実施の形態によれば、一対の基材５ａおよび５ｂが立体的に曲がるような形状を有し、抵抗体６が一方の基材５ａに沿って延びるように配置されるため、タッチパネル１を用途に応じて様々な立体形状に形成することができる。
【００８６】
実施の形態１１
上記の実施の形態１〜１０において、一対の基材５ａおよび５ｂのうち他方の基材５ｂの表面上に表面シートを配置することができる。
例えば、図１６（ａ）に示すように、実施の形態１において新たに表面シート１１１を配置することができる。
【００８７】
表面シート１１１は、基材５ｂの表面を覆うように配置され、接着部１１２を介して基材５ｂに接着されている。また、表面シート１１１は、外部に露出する表面Ｆ１に表面側凸部１１３が形成されると共に基材５ｂと対向する裏面Ｆ２に裏面側凸部１１４が形成されている。この表面側凸部１１３と裏面側凸部１１４は、表面シート１１１を挟んで互いに対向する位置に配置されている。
これにより、指で表面側凸部１１３をタッチすると、裏面側凸部１１４が基材５ｂを局所的に押圧するため、基材５ｂと共にタッチ電極部１４を簡単に押し下げることができ、タッチパネル１を操作する操作者に軽荷重感を与えることができる。
【００８８】
また、図１６（ｂ）に示すように、裏面側凸部１１４を囲むように表面側凸部１１５を配置することもできる。この表面側凸部１１５は、タッチ位置が検知される検知領域に指をガイドするもので、検知領域に対応して配置されている。これにより、例えば指をスライドさせて操作する際に、指が検知領域から外れることを抑制し、タッチパネル１を確実に操作することができる。
【００８９】
本実施の形態によれば、表面シート１１１は、タッチに応じて基材５ｂを押圧するための裏面側凸部１１４を裏面Ｆ２に有するため、タッチパネル１を操作する操作者に軽荷重感を与えることができる。
【００９０】
実施の形態１２
上記の実施の形態１〜１１に係るタッチパネル１を備えたタッチパネル装置は、様々な装置に配置することができる。
例えば、図１７（ａ）に示すように、実施の形態１０のタッチパネル１をカメラに配置することができる。このカメラは、カメラ本体１２１と、レンズ部１２２と、操作リング部１２３とを有する。
【００９１】
操作リング部１２３は、図１７（ｂ）に示すように、支持体１２４と、タッチパネル１と、制御部１２５と、駆動リング部１２６とを有する。
支持体１２４は、レンズ部１２２に操作リング部１２３を支持するものであり円筒状に形成されている。
タッチパネル１は、図１５に示すように、タッチパネル１を円筒状に形成したものであり、支持体１２４の外周面を覆うように配置されている。
制御部１２５は、タッチパネル１を制御するもので、タッチパネル装置の給電部、測定部および演算部が配置されている。
【００９２】
駆動リング部１２６は、タッチパネル１を外側から囲む円筒形状を有し、タッチパネル１に対して回転可能に配置されている。駆動リング部１２６は、突起部１２７と、複数のタッチ部１２８とを有する。
突起部１２７は、タッチパネル１の表面に当接するように配置され、駆動リング部１２６の回転に伴ってタッチパネル１の表面をスライドする。
複数のタッチ部１２８は、駆動リング部１２６の両面から突出するように形成されている。
【００９３】
これにより、カメラを操作する操作者がタッチ部１２８を押すと、タッチ部１２８がタッチパネル１の表面を押圧し、例えばモード設定変更および機能変更など様々な機能を変更することができる。また、駆動リング部１２６を回転させると、突起部１２７がタッチパネル１の表面に沿ってスライドされ、そのスライド量に応じてレンズ部１２２のズームを調節することができる。
【００９４】
また、図１８に示すように、実施の形態９のタッチパネル１を携帯電話に配置することができる。この携帯電話は、薄い板状に形成されており、その側部にタッチパネル１が配置されている。タッチパネル１の表面を指でスライドするように操作すると、例えば携帯電話の画面表示をスクロールさせることができる。実施の形態９のタッチパネル１は、小型に形成されており、薄く形成された携帯電話の側部に容易に配置することができる。
【００９５】
また、図１９に示すように、実施の形態８のタッチパネル１をカメラに配置することができる。このカメラは、カメラ本体１２９と、レンズ部１３０と、タッチパネル１とを有する。レンズ部１３０は、光の量を調節する絞り部１３１を有する。タッチパネル１は、レンズ部１３０の外周に沿うようにカメラ本体１２９に配置されている。このタッチパネル１の表面を指でスライドするように操作することにより、例えば絞り部１３１の絞り量を調節することができる。
【００９６】
さらに、図２０に示すように、実施の形態８のタッチパネル１をバイクのスロットル部１３２に配置することができる。スロットル部１３２は、回転可能に配置され、その内側にタッチパネル１を収容するための収容室Ｒが形成されている。また、スロットル部１３２は、収容室Ｒに突出する凸部１３３が形成されており、スロットル部１３２の回転に応じて凸部１３３が円弧状に移動される。
タッチパネル１は、スロットル部１３２の収容室Ｒに配置されている。タッチパネル１の表面には凸部１３３が当接しており、この凸部１３３がスロットル部１３２の回転に応じて移動することによりスロットル部１３２の開度を検知することができる。
【００９７】
なお、上記の実施の形態１〜１２では、検知配線部および検知電極部が一方の基材５ａに配置されると共にタッチ電極部が他方の基材５ｂに配置されたが、抵抗体電極部をタッチに応じて検知配線部に電気的に接続することができればよく、これに限られるものではない。
【符号の説明】
【００９８】
１  タッチパネル、２  給電部、３  測定部、４  演算部、５ａ，５ｂ  基材、６，２１，３１，３２，５１，５４ａ，５４ｂ，６１，７１，８１，８４  抵抗体、７ａ，７ｂ  抵抗体配線部、８，２２，５２，５５ａ，５５ｂ，６２，７２，７４，８２  検知配線部、７４ａ，７４ｂ  検知対向部、９，９ａ，３３，９１  抵抗体電極部、１０，１０ａ，３４，４１  検知電極部、１１ａ，１１ｂ  給電用端子、１２  検知用端子、１３  ダミー端子、１４，２３，５３，６３，７３，８３  タッチ電極部、１５ａ，１５ｂ，１５ｃ  保護部、４２，５７ａ，５７ｂ  枝状部、５６  連結部、１１１  表面シート、１１２、接着部、１１３，１１５  表面側凸部、１１４  裏面側凸部、１２１，１２９  カメラ本体、１２２，１３０  レンズ部、１２３  操作リング部、１２４  支持体、１２５  制御部、１２６  駆動リング部、１２８  タッチ部、１３１  絞り部、１３２  スロットル部、１３３  凸部、Ｐ，Ｐ１〜Ｐ１２  タッチ位置、Ｇ１  狭領域、Ｇ２  広領域、Ｓ，Ｓ１，Ｓ２  検知領域、Ｔ１〜Ｔ３  方向変更部、Ｌ１〜Ｌ４  検知対向部、Ｗ１〜Ｗ６  スイッチ部、Ｎ  非検知領域、Ｈ  タッチパネルの幅、Ｆ１  表面シートの表面、Ｆ２  表面シートの裏面、Ｒ  収容室。
【図１】
2019028884.tif 000003
【図２】
2019028884.tif 000004
【図３】
2019028884.tif 000005
【図４】
2019028884.tif 000006
【図５】
2019028884.tif 000007
【図６】
2019028884.tif 000008
【図７】
2019028884.tif 000009
【図８】
2019028884.tif 000010
【図９】
2019028884.tif 000011
【図１０】
2019028884.tif 000012
【図１１】
2019028884.tif 000013
【図１２】
2019028884.tif 000014
【図１３】
2019028884.tif 000015
【図１４】
2019028884.tif 000016
【図１５】
2019028884.tif 000017
【図１６】
2019028884.tif 000018
【図１７】
2019028884.tif 000019
【図１８】
2019028884.tif 000020
【図１９】
2019028884.tif 000021
【図２０】
2019028884.tif 000022
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
互いに対向配置された一対の基材と、
一方の基材に線状に延びるように配置された抵抗体と、
前記一方の基材に前記抵抗体に沿って延びるように配置された検知配線部と、
前記抵抗体より低い抵抗値を有すると共に互いに間隔を隔てて前記抵抗体に接続されて前記抵抗体から前記検知配線部に向かって櫛歯状に延びるように前記一方の基材に配置された複数の抵抗体電極部と、
前記検知配線部から前記抵抗体に向かって前記複数の抵抗体電極部の間を櫛歯状に延びるように前記一方の基材に配置され、前記抵抗体より低い抵抗値を有する複数の検知電極部と、
前記複数の抵抗体電極部と前記複数の検知電極部を覆うように他方の基材に配置されると共に前記抵抗体より低い抵抗値を有し、タッチに応じて前記抵抗体電極部を前記検知電極部に電気的に接続するタッチ電極部と、
前記抵抗体に給電するために前記抵抗体に接続された給電用端子と、
タッチに応じた前記抵抗体電極部の電位を測定するために前記検知配線部に接続された検知用端子とを備え、
前記抵抗体は、円状に延びるように配置された第１の抵抗体と、前記第１の抵抗体の内側を円状に延びるように配置された第２の抵抗体とを有し、
前記検知配線部は、前記第１の抵抗体と前記第２の抵抗体との間に前記第１の抵抗体および前記第２の抵抗体に沿って延びるように配置され、
前記複数の抵抗体電極部は、前記第１の抵抗体および前記第２の抵抗体から前記検知配線部に向かって櫛歯状に延びるように配置され、
前記複数の検知電極部は、前記検知配線部から前記第１の抵抗体および前記第２の抵抗体のそれぞれに向かって櫛歯状に延びるように配置され、
前記タッチ電極部は、前記第１の抵抗体と前記検知配線部との間の第１の検知領域を覆うように配置されて前記第１の検知領域がタッチされることにより前記第１の検知領域に配置された前記抵抗体電極部と前記検知電極部を電気的に接続し、前記第２の抵抗体と前記検知配線部との間の第２の検知領域を覆うように配置されて前記第２の検知領域がタッチされることにより前記第２の検知領域に配置された前記抵抗体電極部と前記検知電極部を電気的に接続するタッチパネル。
【請求項２】
前記抵抗体は、前記第１の抵抗体および前記第２の抵抗体より大きな抵抗値を有し、前記第１の抵抗体の一方の端部と前記第２の抵抗体の一方の端部の間に接続される第３の抵抗体を有する請求項１に記載のタッチパネル。
【請求項３】
前記複数の抵抗体電極部および前記複数の検知電極部のうち少なくとも一方は、互いの間隔が広い部分に間隔を縮めるように拡幅された部分を有する請求項１または２に記載のタッチパネル。
【請求項４】
前記拡幅された部分は、枝状に延びる形状を有する請求項３に記載のタッチパネル。
【請求項５】
前記一対の基材は、立体的に曲がるような形状を有し、
前記抵抗体は、前記一方の基材に沿って延びるように配置される請求項１〜４のいずれか一項に記載のタッチパネル。
【請求項６】
他方の基材の表面上に配置され、前記他方の基材と対向する面にタッチに応じて前記他方の基材を押圧するための凸部が形成された表面シートをさらに有する請求項１〜５のいずれか一項に記載のタッチパネル。
【手続補正２】
【補正対象書類名】明細書
【補正対象項目名】０００７
【補正方法】変更
【補正の内容】
【０００７】
この発明に係るタッチパネルは、互いに対向配置された一対の基材と、一方の基材に線状に延びるように配置された抵抗体と、一方の基材に抵抗体に沿って延びるように配置された検知配線部と、抵抗体より低い抵抗値を有すると共に互いに間隔を隔てて抵抗体に接続されて抵抗体から検知配線部に向かって櫛歯状に延びるように一方の基材に配置された複数の抵抗体電極部と、検知配線部から抵抗体に向かって複数の抵抗体電極部の間を櫛歯状に延びるように一方の基材に配置され、抵抗体より低い抵抗値を有する複数の検知電極部と、複数の抵抗体電極部と複数の検知電極部を覆うように他方の基材に配置されると共に抵抗体より低い抵抗値を有し、タッチに応じて抵抗体電極部を検知電極部に電気的に接続するタッチ電極部と、抵抗体に給電するために抵抗体に接続された給電用端子と、タッチに応じた抵抗体電極部の電位を測定するために検知配線部に接続された検知用端子とを備え、抵抗体は、円状に延びるように配置された第１の抵抗体と、第１の抵抗体の内側を円状に延びるように配置された第２の抵抗体とを有し、検知配線部は、第１の抵抗体と第２の抵抗体との間に第１の抵抗体および第２の抵抗体に沿って延びるように配置され、複数の抵抗体電極部は、第１の抵抗体および第２の抵抗体から検知配線部に向かって櫛歯状に延びるように配置され、複数の検知電極部は、検知配線部から第１の抵抗体および第２の抵抗体のそれぞれに向かって櫛歯状に延びるように配置され、タッチ電極部は、第１の抵抗体と検知配線部との間の第１の検知領域を覆うように配置されて第１の検知領域がタッチされることにより第１の検知領域に配置された抵抗体電極部と検知電極部を電気的に接続し、第２の抵抗体と検知配線部との間の第２の検知領域を覆うように配置されて第２の検知領域がタッチされることにより第２の検知領域に配置された抵抗体電極部と検知電極部を電気的に接続するものである。
【手続補正３】
【補正対象書類名】明細書
【補正対象項目名】０００８
【補正方法】変更
【補正の内容】
【０００８】
ここで、抵抗体は、第１の抵抗体および第２の抵抗体より大きな抵抗値を有し、第１の抵抗体の一方の端部と第２の抵抗体の一方の端部の間に接続される第３の抵抗体を有することが好ましい。
【手続補正４】
【補正対象書類名】明細書
【補正対象項目名】０００９
【補正方法】変更
【補正の内容】
【０００９】
また、複数の抵抗体電極部および複数の検知電極部のうち少なくとも一方は、互いの間隔が広い部分に間隔を縮めるように拡幅された部分を有することが好ましい。
【手続補正５】
【補正対象書類名】明細書
【補正対象項目名】００１０
【補正方法】変更
【補正の内容】
【００１０】
また、拡幅された部分は、枝状に延びる形状を有することができる。
【手続補正６】
【補正対象書類名】明細書
【補正対象項目名】００１１
【補正方法】削除
【補正の内容】